(57)【特許請求の範囲】
【請求項１】
ワイパアームに固定され、給送された洗浄液を払拭面に噴射するためのウォッシャノズルであって、
前記ワイパアームの反払拭面側を覆う上部と、
前記上部から前記ワイパアームの幅方向に突出する幅方向延出部と、
前記幅方向延出部から前記ワイパアームの払拭面側を覆うように延びる固定片部と
を備え、
払拭面側から前記固定片部を貫通する固定部材によって前記ワイパアームに固定可能とされており、
前記ワイパアームとの対向面には、前記ワイパアームの長手方向の一部に設けられた突出部が長手方向に係合するように嵌る位置決め溝が形成されたことを特徴とするウォッシャノズル。
【請求項２】
ワイパアームに固定され、給送された洗浄液を払拭面に噴射するためのウォッシャノズルであって、
前記ワイパアームの反払拭面側を覆う上部と、
前記上部から前記ワイパアームの幅方向に突出する幅方向延出部と、
前記幅方向延出部から前記ワイパアームの払拭面側を覆うように延びる固定片部と
を備え、
払拭面側から前記固定片部を貫通する固定部材によって前記ワイパアームに固定可能とされており、
前記幅方向延出部の払拭面側に設けられ、前記ワイパアームの長手方向に沿って延びて洗浄液給送用のホースが連結される筒状の導入筒部を備え、
前記固定片部は、前記導入筒部を前記ワイパアームの長手方向にずれた位置で挟むように一対設けられたことを特徴とするウォッシャノズル。
【請求項３】
請求項１又は２に記載のウォッシャノズルにおいて、
前記幅方向延出部の払拭面側に設けられ、前記ワイパアームの長手方向に沿って延びて洗浄液給送用のホースが連結される筒状の導入筒部と、
前記導入筒部の反払拭面側を覆う導入筒部カバー部と
を備えたことを特徴とするウォッシャノズル。
【請求項４】
請求項３に記載のウォッシャノズルにおいて、
前記ホースの反払拭面側を覆うためのホースカバー部を備えたことを特徴とするウォッシャノズル。
【請求項５】
前記ワイパアームは、基端がピボット軸に固定されるアームヘッドと、該アームヘッドの先端に回動可能に基端が連結されたリテーナと、該リテーナの先端に基端が固定され先端部にワイパブレードが連結される平板棒状のアームピースとを有したものであって、
前記ワイパアームと、
前記アームピースに固定された請求項１乃至４のいずれか１項に記載のウォッシャノズルと
を備えたことを特徴とするノズル付きワイパアーム。
【発明の詳細な説明】
【技術分野】
【０００１】
本発明は、ワイパアームに固定されて洗浄液を噴射するウォッシャノズル及びウォッシャノズルを備えたノズル付きワイパアームに関するものである。
【背景技術】
【０００２】
従来から車両にはフロントガラス等の払拭面を払拭するためのワイパと、給送された洗浄液を払拭面に噴射するためのウォッシャノズルとが備えられている。そして、ウォッシャノズルとしては、ワイパのワイパアームに固定されたものがある（例えば、特許文献１参照）。このようなウォッシャノズルは、例えば、ワイパアームの反払拭面側からウォッシャノズルを貫通してワイパアームに螺合されるねじ等の固定部材によって固定されていた。
【先行技術文献】
【特許文献】
【０００３】
【特許文献１】実開平３−１３２５６号公報
【発明の概要】
【発明が解決しようとする課題】
【０００４】
しかしながら、上記のようなウォッシャノズルが固定されたノズル付きワイパアームでは、ねじの頭部等、固定部材が反払拭面側に、即ち、ワイパアームの表側に露出して、車両を外側から見た際の美観（意匠性）を損ねるという問題があった。
【０００５】
本発明は、上記問題点を解決するためになされたものであって、その目的は、意匠性を向上させることができるウォッシャノズル及びノズル付きワイパアームを提供することにある。
【課題を解決するための手段】
【０００６】
上記課題を解決するウォッシャノズルは、ワイパアームに固定され、給送された洗浄液を払拭面に噴射するためのウォッシャノズルであって、前記ワイパアームの反払拭面側を覆う上部と、前記上部から前記ワイパアームの幅方向に突出する幅方向延出部と、前記幅方向延出部から前記ワイパアームの払拭面側を覆うように延びる固定片部とを備え、払拭面側から前記固定片部を貫通する固定部材によって前記ワイパアームに固定可能とされており、前記ワイパアームとの対向面には、前記ワイパアームの長手方向の一部に設けられた突出部が長手方向に係合するように嵌る位置決め溝が形成される。
【０００７】
同構成によれば、ワイパアームの反払拭面側を覆う上部と、上部からワイパアームの幅方向に突出する幅方向延出部と、幅方向延出部からワイパアームの払拭面側を覆うように延びる固定片部とを備え、払拭面側から固定片部を貫通する固定部材によってワイパアームに固定可能であるため、固定部材が反払拭面側に露出しないようにすることができる。よって、固定部材が反払拭面側に露出したものに比べて、車両を外側から見た際の意匠性を向上させることができる。
【０００９】
同構成によれば、ウォッシャノズルのワイパアームとの対向面には、ワイパアームの長手方向の一部に設けられた突出部が長手方向に係合するように嵌る位置決め溝が形成されるため、該位置決め溝にワイパアームの突出部が嵌るように配置することで、ワイパアームの一定の位置にウォッシャノズルを配置することができる。よって、例えば、払拭面側から固定片部を貫通してワイパアームに形成された雌ねじに固定部材としてのねじを螺合させるといった作業が容易となる。
【００１０】
上記課題を解決するウォッシャノズルは、ワイパアームに固定され、給送された洗浄液を払拭面に噴射するためのウォッシャノズルであって、前記ワイパアームの反払拭面側を覆う上部と、前記上部から前記ワイパアームの幅方向に突出する幅方向延出部と、前記幅方向延出部から前記ワイパアームの払拭面側を覆うように延びる固定片部とを備え、払拭面側から前記固定片部を貫通する固定部材によって前記ワイパアームに固定可能とされており、前記幅方向延出部の払拭面側に設けられ、前記ワイパアームの長手方向に沿って延びて洗浄液給送用のホースが連結される筒状の導入筒部を備え、前記固定片部は、前記導入筒部を前記ワイパアームの長手方向にずれた位置で挟むように一対設けられる。
同構成によれば、ワイパアームの反払拭面側を覆う上部と、上部からワイパアームの幅方向に突出する幅方向延出部と、幅方向延出部からワイパアームの払拭面側を覆うように延びる固定片部とを備え、払拭面側から固定片部を貫通する固定部材によってワイパアームに固定可能であるため、固定部材が反払拭面側に露出しないようにすることができる。よって、固定部材が反払拭面側に露出したものに比べて、車両を外側から見た際の意匠性を向上させることができる。
【００１１】
同構成によれば、ワイパアームの長手方向に沿って延びて洗浄液給送用のホースが連結される筒状の導入筒部が、幅方向延出部の払拭面側に設けられ、固定片部は、導入筒部とワイパアームの長手方向にずれた位置に設けられるため、導入筒部を払拭面側に大きく張り出させることなく、スライドコアを用いて容易に製造することが可能となる。詳しくは、例えば、導入筒部と固定片部とがワイパアームの幅方向（払拭方向）に並んだ構成では、同幅方向に沿って可動する成形金型のスライドコアにて導入筒部を成形することが固定片部の存在によって困難となり、導入筒部を固定片部よりも払拭面側に大きく張り出させるといった必要が生じる。これに対して、上記構成では固定片部は、導入筒部とワイパアームの長手方向にずれた位置に設けられ、導入筒部の幅方向に固定片部が存在しないため、導入筒部を払拭面側に大きく張り出させることなく、スライドコアを用いて容易に製造することが可能となる。
【００１２】
同構成によれば、固定片部は、導入筒部に対しワイパアームの長手方向の外側にずれた位置で導入筒部を挟むように一対設けられるため、ワイパアームに対してがたつきが抑えられて強固に固定することができる。
【００１３】
上記ウォッシャノズルにおいて、前記幅方向延出部の払拭面側に設けられ、前記ワイパアームの長手方向に沿って延びて洗浄液給送用のホースが連結される筒状の導入筒部と、前記導入筒部の反払拭面側を覆う導入筒部カバー部とを備えることが好ましい。
【００１４】
同構成によれば、幅方向延出部の払拭面側に設けられ、ワイパアームの長手方向に沿って延びて洗浄液給送用のホースが連結される筒状の導入筒部と、導入筒部の反払拭面側を覆う導入筒部カバー部とを備えるため、導入筒部が反払拭面側に露出しないようにすることができる。よって、導入筒部が反払拭面側に露出したものに比べて、車両を外側から見た際の意匠性を向上させることができる。
【００１５】
上記ウォッシャノズルにおいて、前記ホースの反払拭面側を覆うためのホースカバー部を備えることが好ましい。
同構成によれば、ホースの反払拭面側を覆うためのホースカバー部を備えるため、ホースが反払拭面側に露出しないようにすることができる。よって、ホースが反払拭面側に露出したものに比べて、車両を外側から見た際の意匠性を向上させることができる。
【００１６】
上記課題を解決するノズル付きワイパアームは、前記ワイパアームが、基端がピボット軸に固定されるアームヘッドと、該アームヘッドの先端に回動可能に基端が連結されたリテーナと、該リテーナの先端に基端が固定され先端部にワイパブレードが連結される平板棒状のアームピースとを有したものであって、前記ワイパアームと、前記アームピースに固定された上記ウォッシャノズルとを備える。
【００１７】
同構成によれば、ノズル付きワイパアームにおいて、上記した効果を得ることができる。
【発明の効果】
【００１８】
本発明のウォッシャノズル及びノズル付きワイパアームでは、意匠性を向上させることができる。
【図面の簡単な説明】
【００１９】
【図１】一実施形態におけるノズル付きワイパアームの平面図。
【図２】一実施形態におけるウォッシャノズルとワイパアームの斜視図。
【図３】一実施形態におけるウォッシャノズルとワイパアームの平面図。
【図４】一実施形態におけるウォッシャノズルとワイパアームの底面図。
【図５】一実施形態におけるウォッシャノズルとワイパアームの側面図。
【図６】図３のＡ−Ａ線に沿った断面図。
【図７】一実施形態におけるウォッシャノズルとワイパアームの分解斜視図。
【図８】一実施形態におけるウォッシャノズルの製造方法を説明するための断面図。
【発明を実施するための形態】
【００２０】
以下、ウォッシャノズルを備えたノズル付きワイパアームの一実施形態を図１〜図８に従って説明する。
図１〜図６に示すように、ノズル付きワイパアームのウォッシャノズル１は、車両に設けられるワイパアーム５１（詳しくは、そのアームピースＡＰ）に固定され、給送された洗浄液を払拭面（図３中、紙面奥側であって、図４中、紙面手前側の図示しないフロントガラス）に噴射するためのものである。
【００２１】
図１に示すように、本実施形態のワイパアーム５１は、基端が図示しないピボット軸に固定されるアームヘッドＡＨと、該アームヘッドＡＨの先端に回動可能に基端が連結されたリテーナＲと、該リテーナＲの先端に基端が固定され先端部にワイパブレードＷＢが連結される平板棒状のアームピースＡＰとを有したものである。
【００２２】
ウォッシャノズル１は、ワイパアーム５１、具体的には、板面が払拭面と対向する平板棒状のアームピースＡＰの反払拭面側を覆う上部１１と、上部１１からワイパアーム５１の幅方向の一方（図３中、右方向であって、図４中、左方向）側に突出する幅方向延出部１２と、幅方向延出部１２からワイパアーム５１のアームピースＡＰの払拭面側を覆うように（ワイパアーム５１の下方に）延びる固定片部１３とを備える。
【００２３】
上部１１は、ワイパアーム５１のアームピースＡＰの上面（反払拭面側の面）に沿って長尺板状に形成され、幅方向延出部１２は、上部１１の側方の一方からワイパアーム５１の幅方向に板状に突出している。図６に示すように、本実施形態の幅方向延出部１２は、その上面が幅方向の外側ほど払拭面側に近づくように傾斜して形成されている。そして、固定片部１３は、幅方向延出部１２からワイパアーム５１の払拭面側を覆うように、言い換えると、前記上部１１とでワイパアーム５１を挟むように延出され、前記上部１１とでワイパアーム５１の幅方向の他方側（幅方向延出部１２の突出方向と反対側）が開口する断面コ字状を成している。
【００２４】
又、ウォッシャノズル１は、ワイパアーム５１の長手方向に沿って延びて洗浄液給送用のホース５２（図３及び図４参照）が連結される筒状の導入筒部１４を備えており、該導入筒部１４は幅方向延出部１２の払拭面側に設けられている。詳しくは、幅方向延出部１２におけるワイパアーム５１の先端側には払拭面側（下側）に膨出する膨出部１５が形成され、導入筒部１４は膨出部１５からワイパアーム５１の長手方向の基端方向に沿って延びている。図４に示すように、導入筒部１４の内部は膨出部１５内に形成されたノズル部材収容部１６に連通されている。ノズル部材収容部１６は、ワイパアーム５１の先端側で開口するとともに、その内面が球面状に形成されている。そして、ノズル部材収容部１６には、導入筒部１４内を介してノズル部材収容部１６に到達した洗浄液を払拭面に噴射するためのノズル口５３ａを有するノズル部材５３が、液密状態で転動可能に収容保持されており、膨出部１５に対してノズル部材５３の角度調節が可能となっている。
【００２５】
又、図３に示すように、前記幅方向延出部１２の一部は、前記導入筒部１４の反払拭面側を覆うように形成されて導入筒部カバー部１７を構成している。又、前記幅方向延出部１２の一部は、導入筒部カバー部１７から連続的に前記ホース５２の反払拭面側を覆うように形成されてホースカバー部１８を構成している。本実施形態の導入筒部カバー部１７及びホースカバー部１８は、ワイパアーム５１の基端側に向かうほど上部１１からの幅方向の突出量Ｔ（図３参照）が小さくなる形状に形成されている。
【００２６】
又、図４、図５及び図７に示すように、ウォッシャノズル１におけるワイパアーム５１（アームピースＡＰ）との対向面であって、本実施形態では上部１１におけるワイパアーム５１との対向面には、ワイパアーム５１の長手方向の一部に設けられた突出部５１ａが長手方向に係合するように嵌る位置決め溝１９が形成されている。本実施形態の位置決め溝１９は、上部１１におけるワイパアーム５１との対向面側に凸設された凸部２０に形成され、ワイパアーム５１の幅方向の他方側（幅方向延出部１２の突出方向とは反対側）からワイパアーム５１の幅方向中央と対応した位置に向かって凹設されている。
【００２７】
そして、ウォッシャノズル１は、払拭面側から固定片部１３を貫通する固定部材としてのねじ５４によってワイパアーム５１に固定可能とされ、ワイパアーム５１に固定される。
【００２８】
詳しくは、図４及び図５に示すように、固定片部１３は、導入筒部１４とワイパアーム５１の長手方向の両外側にずれた位置であって、本実施形態では、導入筒部１４をワイパアーム５１の長手方向にずれた位置で挟むように一対設けられている。言い換えると、導入筒部１４は、ワイパアーム５１の長手方向に離間して形成された一対の固定片部１３の間に設けられている。又、本実施形態の導入筒部１４は、前記払拭面の直交方向（図５中、左右方向）に固定片部１３と一部重なる位置に設けられている。
【００２９】
図５及び図７に示すように、各固定片部１３には、払拭面側からねじ頭収容凹部２１が凹設形成され、該ねじ頭収容凹部２１の底には上部１１側（ワイパアーム５１側）に貫通するねじ挿通孔２２が形成されている。
【００３０】
そして、ウォッシャノズル１は、幅方向延出部１２の突出方向とは反対側の開口からワイパアーム５１（アームピースＡＰ）が幅方向から挿入され、前記位置決め溝１９にワイパアーム５１の突出部５１ａが嵌った状態とされることでワイパアーム５１に対する位置決めがなされる。この状態でウォッシャノズル１の払拭面側から固定片部１３のねじ挿通孔２２を貫通してワイパアーム５１（アームピースＡＰ）に形成された雌ねじ５１ｂ（図７参照）にねじ５４が螺合されることによってウォッシャノズル１はワイパアーム５１に固定されている。
【００３１】
ここで、ワイパアーム５１（アームピースＡＰ）の雌ねじ５１ｂに螺合されたねじ５４の先端部は、ワイパアーム５１（アームピースＡＰ）の反払拭面側の面から僅かに突出する場合がある。このねじ５４の先端部の突出部位を収容すべく、上部１１におけるねじ頭収容凹部２１に対応する位置のワイパアーム５１（アームピースＡＰ）との対向面には、ねじ先端収容部２３が形成されている。
【００３２】
ところで、本実施形態のウォッシャノズル１は樹脂製であって、その製造には、図８に示すように、成形金型として上型６１、下型６２、及び左右一対のスライドコア６３，６４等が用いられる。そして、前記導入筒部１４は、外周における下側（払拭面側の約１８０°の範囲）が下型６２によって成形され、外周における上側（反払拭面側の約１８０°の範囲）が左右一対のスライドコア６３，６４によって成形される。ここで、スライドコア６３，６４は、幅方向（図８中、左右方向）に沿って可動されるが、固定片部１３は、導入筒部１４とワイパアーム５１の長手方向（図８中、紙面直交方向）にずれた位置に設けられているため、一方の（図８中、左側の）スライドコア６３の可動が固定片部１３の存在によって阻害されることはない。
【００３３】
上記のように構成されたウォッシャノズル１の作用について説明する。
例えば、運転席に設けられたウォッシャスイッチによって払拭面であるフロントガラスを洗浄する旨の操作が行われると、ワイパアーム５１及びワイパブレードＷＢ（車両用ワイパ）が往復揺動されるとともに、図示しないウォッシャポンプからホース５２を介してウォッシャノズル１に洗浄液が給送される。すると、ウォッシャノズル１のノズル口５３ａからワイパブレードＷＢの側方の払拭面に洗浄液が噴射され、洗浄液が噴射された払拭面はワイパブレードＷＢによって迅速に払拭されて洗浄される。
【００３４】
次に、上記実施形態の特徴的な効果を以下に記載する。
（１）ウォッシャノズル１は、ワイパアーム５１の反払拭面側を覆う上部１１と、上部１１からワイパアーム５１の幅方向に突出する幅方向延出部１２と、幅方向延出部１２からワイパアーム５１の払拭面側を覆うように延びる固定片部１３とを備える。そして、ウォッシャノズル１は、払拭面側から固定片部１３を貫通するねじ５４によってワイパアーム５１に固定可能とされるため、ねじ５４が反払拭面側に露出しないようにすることができる。よって、ねじ５４が反払拭面側に露出したものに比べて、車両を外側から見た際の意匠性を向上させることができる。
【００３５】
（２）ウォッシャノズル１におけるワイパアーム５１との対向面（本実施形態では上部１１）には、ワイパアーム５１の長手方向の一部に設けられた突出部５１ａが長手方向に係合するように嵌る位置決め溝１９が形成される。よって、位置決め溝１９にワイパアーム５１の突出部５１ａが嵌るように配置することで、ワイパアーム５１の一定の位置にウォッシャノズル１を配置することができる。よって、例えば、本実施形態のように、払拭面側から固定片部１３を貫通してワイパアーム５１に形成された雌ねじ５１ｂにねじ５４を螺合させるといった作業が容易となる。
【００３６】
（３）ウォッシャノズル１は、ワイパアーム５１の長手方向に沿って延びて洗浄液給送用のホース５２が連結される筒状の導入筒部１４が、幅方向延出部１２の払拭面側に設けられている。そして、固定片部１３は、導入筒部１４とワイパアーム５１の長手方向にずれた位置に設けられる、言い換えれば、導入筒部１４に対してワイパアーム５１の長手方向の両外側にずれて位置するように設けられるため、導入筒部１４を払拭面側に大きく張り出させることなく、スライドコア６３，６４を用いてウォッシャノズル１を容易に製造することが可能となる。詳しくは、例えば、導入筒部１４と固定片部１３とがワイパアーム５１の幅方向（払拭方向）に並んだ構成では、同幅方向に沿って可動する成形金型のスライドコア６３，６４にて導入筒部１４を成形することが固定片部１３の存在によって困難となり、導入筒部１４を固定片部１３よりも払拭面側に大きく張り出させるといった必要が生じる。これに対して、上記構成では固定片部１３は、導入筒部１４とワイパアーム５１の長手方向にずれた位置に設けられ、導入筒部１４の幅方向に固定片部１３が存在しないため、導入筒部１４を払拭面側に大きく張り出させることなく、スライドコア６３，６４を用いてウォッシャノズル１を容易に製造することが可能となる。
【００３７】
そして、本実施形態では導入筒部１４は、固定片部１３と払拭面の直交方向に一部重なる位置に設けられるため、導入筒部１４の払拭面側への張り出し量が小さい構成となり、例えば、払拭面との間隔を（衝突しないように）十分に保つことができる。言い換えると、ワイパアーム５１の払拭面からの高さを高く設定する必要がなくなる。
【００３８】
（４）固定片部１３は、導入筒部１４に対しワイパアーム５１の長手方向の両外側にずれた位置で挟むように一対設けられるため、ワイパアーム５１に対してがたつきが抑えられて強固に固定することができる。
【００３９】
（５）ウォッシャノズル１は、導入筒部１４の反払拭面側を覆う導入筒部カバー部１７を備えるため、導入筒部１４が反払拭面側に露出しないようにすることができる。よって、導入筒部１４が反払拭面側に露出したものに比べて、車両を外側から見た際の意匠性を向上させることができる。また、導入筒部１４に外力などが作用する事象も低減でき、例えば、導入筒部１４に接続されたホース５２の外れを防止できる。
【００４０】
（６）ウォッシャノズル１は、ホース５２の反払拭面側を覆うためのホースカバー部１８を備えるため、ホース５２が反払拭面側に露出しないようにすることができる。よって、ホース５２が反払拭面側に露出したものに比べて、車両を外側から見た際の意匠性を向上させることができる。また、ホース５２の紫外線等による劣化を抑制することができる。
【００４１】
上記実施形態は、以下のように変更してもよい。
・上記実施形態では、ウォッシャノズル１の上部１１には、ワイパアーム５１の突出部５１ａが長手方向に係合するように嵌る位置決め溝１９が形成されるとしたが、ワイパアーム５１に対する長手方向の位置決めができれば、固定片部１３に位置決め溝を形成してもよい。又、位置決め溝１９が形成されていないウォッシャノズル１としてもよい。
【００４２】
・上記実施形態では、固定片部１３は、導入筒部１４とワイパアーム５１の長手方向にずれた位置に設けられるとしたが、これに限定されず、導入筒部１４とワイパアーム５１の長手方向に一致した位置に設けてもよい。尚、この場合、導入筒部１４を、固定片部１３よりも払拭面側に大きく張り出させれば、スライドコアを用いてウォッシャノズルを容易に製造することができる。
【００４３】
・上記実施形態では、導入筒部１４は、固定片部１３と払拭面の直交方向（上下方向）に一部重なる位置に設けられるとしたが、これに限定されず、例えば、固定片部１３と払拭面の直交方向に全体が重なる位置に設けてもよいし、一部も重ならない位置に設けてもよい。
【００４４】
・上記実施形態では、固定片部１３は、導入筒部１４をワイパアーム５１の長手方向にずれた位置で挟むように一対設けられるとしたが、これに限定されず、例えば、固定片部１３を一つとしてもよいし、導入筒部１４を挟まないように一対設けてもよい。又、固定片部１３は、三つ以上設けてもよい。
【００４５】
・上記実施形態では、固定部材をねじ５４としたが、リベット等により固定してもよい。
・上記実施形態では、ウォッシャノズル１は、幅方向延出部１２の一部であり導入筒部１４の反払拭面側を覆う導入筒部カバー部１７を備えるとしたが、これに限定されず、導入筒部１４が反払拭面側に露出した（反払拭面側から見える）ものとしてもよい。
【００４６】
・上記実施形態では、ウォッシャノズル１は、幅方向延出部１２の一部でありホース５２の反払拭面側を覆うためのホースカバー部１８を備えるとしたが、これに限定されず、ホース５２が反払拭面側に露出する（反払拭面側から見える）ものとしてもよい。
【００４７】
・上記実施形態では、ワイパアーム５１は、アームヘッドＡＨとリテーナＲとアームピースＡＰとを有するものとしたが、これに限定されず、他の構成のワイパアームに変更してウォッシャノズル１を固定してもよい。
【００４８】
上記実施の形態から把握できる技術的思想について、以下にその効果とともに記載する。
（イ）前記導入筒部は、前記払拭面の直交方向に前記固定片部と少なくとも一部重なる位置に設けられたことを特徴とする。
【００４９】
同構成によれば、導入筒部は、固定片部と払拭面の直交方向に少なくとも一部重なる位置に設けられるため、導入筒部の払拭面側への張り出し量が小さい構成となり、例えば、払拭面との間隔を十分に保つことができる。言い換えると、ワイパアームを払拭面から大きく浮かせる必要がなくなる。
【符号の説明】
【００５０】
１１…上部、１２…幅方向延出部、１３…固定片部、１４…導入筒部、１７…導入筒部カバー部、１８…ホースカバー部、１９…位置決め溝、５１…ワイパアーム、５１ａ…突出部、５２…ホース、５４…ねじ（固定部材）、ＡＨ…アームヘッド、ＡＰ…アームピース、Ｒ…リテーナ、ＷＢ…ワイパブレード。
【図１】
0006492748.tif 000002
【図２】
0006492748.tif 000003
【図３】
0006492748.tif 000004
【図４】
0006492748.tif 000005
【図５】
0006492748.tif 000006
【図６】
0006492748.tif 000007
【図７】
0006492748.tif 000008
【図８】
0006492748.tif 000009